(57)【要約】  【課題】目詰まりの発生を防止又は抑制し、気泡シート体の生産効率向上、及びメンテナンスの煩雑化解消を図ることが可能な真空成形ロールを提供する。  【解決手段】真空通路Ｒ１４の半径Ｒ１４ｒを、切除部Ｒ１２ａのうち最もプラグＲ１２の中心に近い最大切込部Ｒ１２ａｘとプラグＲ１２の中心との距離Ｒ１２ｘよりも大きく設定した。【選択図】図４
2008213247.tif 000002
【特許請求の範囲】
【請求項１】
ロール本体の外周面に多数個凹設された気泡成形用の吸引キャビティと、
前記各吸引キャビティの底壁部から前記ロール本体の軸心に向かって延伸し、且つ前記ロール本体の一端から他端に亘って形成された吸引用横孔に連通する略円筒状の真空通路と、
前記吸引キャビティの底壁部に嵌合可能であり、且つ外縁部に形成した複数の略半円弧状の切除部によって前記吸引キャビティと前記真空通路とを連通させるプラグとを具備してなり、
前記真空通路の半径を、前記切除部のうち最も前記プラグの中心に近い最大切込部と前記プラグの中心との距離よりも大きく設定していることを特徴とする気泡シート体製造用の真空成形ロール。
【請求項２】
ロール本体の外周面に多数個凹設された気泡成形用の吸引キャビティと、
前記各吸引キャビティの底壁部から前記ロール本体の軸心に向かって延伸し、且つ前記ロール本体の一端から他端に亘って形成された吸引用横孔に連通する略円筒状の真空通路と、
前記吸引キャビティの底壁部に嵌合可能であり、且つ外縁部に形成した複数の略半円弧状の切除部によって前記吸引キャビティと前記真空通路とを連通させるプラグとを具備してなり、
前記吸引キャビティのうち前記プラグが嵌合可能な部位における直径Ｄ、前記真空通路の直径ｄ、及び前記切除部の半径ｒをそれぞれ式〔１〕を満たす値に設定していることを特徴とする気泡シート体製造用の真空成形ロール。
Ｄ−２ｒ＜ｄ・・・式〔１〕
【発明の詳細な説明】
【技術分野】
【０００１】
本発明は、気泡シート体を製造する際に使用される真空成形ロールに関するものである。
【背景技術】
【０００２】
従来より、キャップ状の突起を多数設けたキャップシートと、平坦なバークシートとを貼り合わせてなる気泡シート体が緩衝包装材や断熱材等として広く使用されている。その製造方法としては、例えば、以下のようなものが知られている。
【０００３】
キャップシート用ダイスから熱可塑化状態で逐次供給されるキャップシート用シート素材を真空排気装置に接続された真空成形ロールに送り出す。この真空成形ロールの外周面には、気泡成形用の吸引キャビティが多数個凹設されており、真空吸引により吸引キャビティの形状に対応した多数のキャップ状の突起を有したキャップシートを連続的に形成する。一方、バックシート用ダイスから熱可塑化状態で逐次供給されるバックシート用シート素材を加圧ロールにより前記キャップシートに押し付ける。これにより、キャップシートの裏面にバックシートが順次貼り合わされ、二層構造をなす気泡シート体を連続的に生成させる。
【０００４】
前記真空成形ロールとしては、吸引キャビティと、各吸引キャビティの底壁部からロール本体の軸心に向かって延伸し、且つロール本体の一端から他端に亘って形成された吸引用横孔に連通する略円筒状の真空通路と、吸引キャビティの底壁部に嵌合可能であり、且つ外縁部に形成した略半円弧状の切除部によって吸引キャビティと真空通路とを連通させるプラグとを備えてなり、吸引用横孔の両端又は何れか一端を真空排気装置に接続し得るように構成したものが知られている（例えば特許文献１参照）。
【特許文献１】特開２００４−１８８６０８号公報（図３等参照）
【発明の開示】
【発明が解決しようとする課題】
【０００５】
しかしながら、外縁部に略半円弧状の切除部を形成したプラグを適用した場合、プラグとして外縁から中心に向かって延びるスリットを略十字状に形成したものを適用した場合と比較して、加工容易性及びコスト面で優位な反面、真空吸引時に溶融樹脂又は異物がプラグと吸引キャビティの内壁部との間に詰まるいわゆる目詰まりが生じ易く、その都度プラグを交換する作業が必要となり、気泡シート体の生産効率低下、及びメンテナンスの煩雑化を招来し得るという問題があった。
【０００６】
このような問題を解決すべく本願発明者は鋭意研究の末、プラグとして、外縁部に略半円弧状の切除部を形成したものを適用した場合における目詰まりの生じ易さが、プラグの開口率、吸引キャビティのうちプラグが嵌合する部位の直径、及び真空通路の直径の相対的な関係によって変化することを見出した。
【０００７】
すなわち、目詰まりが生じ易い従来の真空成形ロールは、図１２（同図（ａ）は真空成形ロールの要部拡大断面図であり、同図（ｂ）は（ａ）のｘ―ｘ線断面図である）に示すように、吸引キャビティＸＲ１１をそれぞれ対応する真空通路ＸＲ１４及び吸引用横孔ＸＲ１３に連通させる吸引孔の開口率、換言すれば切除部ＸＲ１２ａの開口寸法を、真空吸引に耐え得る範囲であり且つシート素材に所望の形状を付与できる範囲で最大限大きく設定するとともに、真空通路ＸＲ１４の直径を、吸引キャビティＸＲ１１のうちプラグＸＲ１２が嵌合する部位の直径の略半分又はそれ以下に設定したものであった。この場合、吸引キャビティＸＲ１１のうちプラグＸＲ１２が嵌合可能な部位における直径を「Ｄ´」、真空通路ＸＲ１４の直径を「ｄ´」、プラグＸＲ１２の切除部ＸＲ１２ａの半径を「ｒ´」とした場合、これらは、Ｄ´−２ｒ´＞ｄ´、という関係であった。つまり、ロール本体の外周面側から吸引キャビティＸＲ１１を覗いた場合に、真空通路ＸＲ１４がプラグＸＲ１２によって視認できない状態となっていた。
【０００８】
また、近時の傾向として、星形やハート形或いは角柱状等、成形する気泡の形状が多種多様に亘り、単一の吸引キャビティに対して複数のプラグを嵌合させなければならない場合や、或いは各吸引キャビティ自体の極小化が要求される場合が生じている。このような場合、図１３に示すように、ドリルＸ１を用いて、ロール本体ＸＲ１に、吸引キャビティＸＲ１１のうちプラグＸＲ１２が嵌合する部位の直径の略半分又はそれ以下の直径を有する真空通路ＸＲ１２を穿孔加工する際に、ドリル１のチャック部１１が吸引キャビティＸＲ１１の開口縁部と干渉することを回避するため、ドリル刃１２をチャック部１１から大きく突出させた状態で固定している。
【０００９】
しかしながら、上述した単一の吸引キャビティに対して複数のプラグを嵌合させなければならない場合や、或いは各吸引キャビティ自体の極小化が要求される場合には、吸引キャビティのうちプラグが嵌合する部位の直径が小さくなるため、真空通路の直径も小さくなる。そして、真空通路の直径が小さければ小さいほど、当然のことながらドリル刃の径も小さくなるため、チャック部から大きく突出させた状態で固定していることと相俟って穿孔加工時にドリル刃が折れ易く、ロール本体に対する真空通路の穿孔加工をスムーズに行うことができず、加工性に劣るという問題が生じていた。
【００１０】
さらに、真空通路の直径が、吸引キャビティのうちプラグが嵌合する部位における直径の略半分又はそれ以下であるということは、真空通路を、吸引キャビティのうちプラグが嵌合可能な部位の中央付近にしか形成できないということである。そのため、気泡が単純な円柱状のものであれば比較的精度良く真空成形できるものの、星形やハート形或いは角柱状等、成形する気泡の形状が複雑なものになれば、図１４に示すように、気泡ＸＳ１の頂面のうち中心から離れた外縁部分に相当する部分ＸＳ１１を十分に真空吸引することができず、所望の形状に適切に真空成形できないという問題が生じていた。
【００１１】
本発明は、このような課題に着目してなされたものであって、主たる目的は、目詰まりの発生を防止又は抑制し、気泡シート体の生産効率向上、及びメンテナンスの煩雑化解消を図ることができるとともに、加工容易性に優れ、多種多様な形状の気泡を精度良く成形することができる真空成形ロールを提供することにある。
【課題を解決するための手段】
【００１２】
すなわち、本発明の気泡シート体製造用の真空成形ロールは、ロール本体の外周面に多数個凹設された気泡成形用の吸引キャビティと、
前記各吸引キャビティの底壁部から前記ロール本体の軸心に向かって延伸し、且つ前記ロール本体の一端から他端に亘って形成された吸引用横孔に連通する略円筒状の真空通路と、前記吸引キャビティの底壁部に嵌合可能であり、且つ外縁部に形成した複数の略半円弧状の切除部によって前記吸引キャビティと前記真空通路とを連通させるプラグとを具備してなり、前記真空通路の半径を、前記切除部のうち最も前記プラグの中心に近い最大切込部と前記プラグの中心との距離よりも大きく設定していることを特徴とする。
【００１３】
このようなものであれば、ロール本体の外周面側から吸引キャビティを覗いた場合に、真空通路がプラグの切除部を介して視認可能な状態となる。その結果、従来の態様と比較して、目詰まりの発生を防止又は抑制することができ、プラグの交換作業が不要又は作業回数が減少することにより気泡シート体の生産効率向上、及びメンテナンスの煩雑化解消を有効に図ることができる。
【００１４】
また、本発明の気泡シート体製造用の真空成形ロールは、ロール本体の外周面に多数個凹設された気泡成形用の吸引キャビティと、前記各吸引キャビティの底壁部から前記ロール本体の軸心に向かって延伸し、且つ前記ロール本体の一端から他端に亘って形成された吸引用横孔に連通する略円筒状の真空通路と、前記吸引キャビティの底壁部に嵌合可能であり、且つ外縁部に形成した複数の略半円弧状の切除部によって前記吸引キャビティと前記真空通路とを連通させるプラグとを具備してなり、前記吸引キャビティのうち前記プラグが嵌合可能な部位における直径Ｄ、前記真空通路の直径ｄ、及び前記切除部の半径ｒをそれぞれ式〔１〕を満たす値に設定していることを特徴とする。
Ｄ−２ｒ＜ｄ・・・式〔１〕
このように、吸引キャビティのうちプラグが嵌合可能な部位における直径Ｄ、真空通路の直径ｄ、及び切除部の半径ｒの相対的な関係を式〔１〕を満たす値に設定することにより、吸引キャビティのうちプラグが嵌合する部位の直径に対する真空通路の直径が、従来のものよりも大きくなるため、このような真空通路をロール本体に穿孔加工するためのドリル刃の径も当然に大きくなる。その結果、上述した効果に加えて、単一の吸引キャビティに対して複数のプラグを嵌合させなければならない場合や、或いは各吸引キャビティ自体の極小化が要求される場合において、ドリル刃をチャック部から大きく突出させた状態で穿孔加工を行ったとしても、従来のようにドリル刃が簡単に折れるという問題を解消することができ、ロール本体に対する真空通路の穿孔加工をスムーズ且つ的確に行うことができるという効果を奏する。
【００１５】
さらに、吸引キャビティのうちプラグが嵌合する部位における直径に対する真空通路の直径の相対比を可及的に大きくすることにより、当然のことながら、吸引キャビティのうちプラグが嵌合可能な部位における真空通路の開口率が可及的に大きくなる。その結果、星形やハート形等、成形する気泡の形状が複雑なものであっても、気泡の頂面のうち外縁部に相当する部分をも十分に真空吸引することができ、所望の形状に適切に真空成形することが可能となり、気泡シート体全体の耐衝撃性を有効に高めることができ、商品価値の飛躍的な向上に大いに資する。
【発明の効果】
【００１６】
以上説明したように、本発明によれば、プラグとして、スリットよりも加工容易性に優れた部分円弧状の切除部を外縁部に形成したものを適用した場合であっても、この切除部における目詰まりの発生を防止又は抑制することができ、気泡シート体の生産効率向上、及びメンテナンスの煩雑化解消を有効に図ることができる。さらには、ロール本体に対する真空通路の穿孔加工を容易に行うことができるとともに、多種多様な形状の気泡を精度良く成形することができる。
【発明を実施するための最良の形態】
【００１７】
以下、本発明の一実施形態を、図面を参照して説明する。
【００１８】
本実施形態に係る気泡シート体製造用の真空成形ロールＲは、図１に示す気泡シート体成形機Ｘの一部を構成するものであり、図２及び図３に示すように、円筒状のロール本体Ｒ１と、ロール本体Ｒ１を貫通するように設けた回転軸Ｒ２と、バネ等の付勢手段ＲＳによってロール本体Ｒ１に向かって付勢され且つ一定の圧力でロール本体Ｒ１の両端にそれぞれ添接する一対のサイドプレートＲ３とを備えものである。回転軸Ｒ２及びサイドプレート３は既知のものであり、以下簡単に説明する。
【００１９】
回転軸Ｒ２は、中空状のものであり、この内部空間を利用してロール本体Ｒ１を内部から冷却する熱媒体を循環させ得るようにしている。なお、回転軸Ｒ２は、図示しない軸受けに支持されている。
【００２０】
サイドプレートＲ３は、図２及び図３等に示すように、真空排気装置Ｖに通じる真空用ポートＲ３１（いわゆる「バキュームゾーン」）と、大気に通じる大気圧用ポートＲ３２とを備えている。そして、真空成形ロールＲの回動時に、ロール本体Ｒ１の軸心方向に沿って真空用ポートＲ３１と連通する位置に来た後述する複数の吸引用横孔Ｒ１３が真空用ポートＲ３１を介して真空排気装置Ｖに接続され、真空吸引されるようにしている。本実施形態の真空成形ロールＲは、各吸引用横孔Ｒ１３の両端をそれぞれ対応するサイドプレートＲ３の真空用ポートＲ３１を介して真空排気装置Ｖに接続し得るように構成している。
【００２１】
一方、ロール本体Ｒ１は、外周面に多数個凹設された気泡成形用の吸引キャビティＲ１１と、吸引キャビティＲ１１の底壁部に嵌合可能なプラグＲ１２と、ロール本体Ｒ１の一端から他端に亘って形成され両端を開口させた複数の吸引用横孔Ｒ１３と、各吸引キャビティＲ１１の底壁部からロール本体Ｒ１の軸心に向かって延伸し且つ吸引用横孔Ｒ１３に連通する略円筒状の真空通路Ｒ１４とを備えたものである。
【００２２】
各吸引キャビティＲ１１は、図３及び図４（図４（ａ）、（ｂ）はそれぞれ図３の要部拡大断面図、図４（ａ）のｘ―ｘ線断面図である）に示すように、断面視略台形状をなすものであり、本実施形態ではこのような吸引キャビティＲ１１をロール本体Ｒ１の外周面に千鳥状に設けている。
【００２３】
プラグＲ１２は、例えばリン青銅やジェラルミン等の金属素材から形成した薄板状のものであり、外縁部に複数の平面視略半円弧状の切除部Ｒ１２ａを形成したものである。本実施形態では、外縁部における等角６箇所に切除部Ｒ１２ａを形成している。また、残余部（切除部Ｒ１２ａを除いた部分）が切除部Ｒ１２ａを切除する前のプラグ全体の５０パーセント以上となるように設定している。
【００２４】
各吸引用横孔Ｒ１３は、ロール本体Ｒ１の軸心方向に沿って延伸する略直線状のものであり、これら複数の吸引用横孔Ｒ１３を、ロール本体Ｒ１の周方向に沿って所定ピッチ離間させて設けている。本実施形態では、これら各吸引用横孔Ｒ１３の両端を真空排気装置Ｖに接続し得るように構成している。
【００２５】
真空通路Ｒ１４は、プラグＲ１２を吸引キャビティＲ１１の底壁部に嵌合した状態において、プラグＲ１２の切除部Ｒ１２ａを介して吸引キャビティＲ１１の内部空間に連通するものである。
【００２６】
このような構造であるため、真空吸引時において、吸引キャビティＲ１１内の空気は切除部Ｒ１２ａを通過し、真空通路Ｒ１４を経て吸引用横孔Ｒ１３へと至る。すなわち、プラグＲ１２の切除部Ｒ１２ａが、吸引キャビティＲ１１をそれぞれ対応する真空通路Ｒ１４及び吸引用横孔Ｒ１３に連通させる吸引孔として機能する。
【００２７】
しかして、本実施形態では、図４（ｂ）に示すように、真空通路Ｒ１４の半径Ｒ１４ｒを、切除部Ｒ１２ａのうち最もプラグＲ１２の中心に近い最大切込部Ｒ１２ａｘとプラグＲ１２の中心との距離Ｒ１２ｘよりも大きく設定している。さらに、吸引キャビティＲ１１のうちプラグＲ１２が嵌合可能な部位における直径Ｄ、真空通路Ｒ１４の直径ｄ、及び切除部Ｒ１２ａの半径ｒをそれぞれ式〔１〕を満たす値に設定している。
Ｄ−２ｒ＜ｄ・・・式〔１〕
このような式〔１〕を満たす値に設定した場合、ロール本体Ｒ１の外周面側から吸引キャビティＲ１１を覗いた場合に、真空通路Ｒ１４がプラグＲ１２の切除部Ｒ１２ａから視認可能な状態となる。また、真空通路Ｒ１４の直径ｄが、吸引キャビティＲ１１のうちプラグＲ１２が嵌合する部位の半径Ｒ１１ｒよりも大きな値となる（図４（ｂ）参照）。なお、吸引キャビティＲ１１のうちプラグＲ１２が嵌合可能な部位における中心と、プラグＲ１２の中心と、真空通路Ｒ１４の中心とが全て一致又は略一致していることは言及するまでもない。
【００２８】
次に、このような真空成形ロールＲを備えた気泡シート体成形機Ｘを用いて気泡シート体Ｓを製造する方法及び作用について図１等を参照して説明する。
【００２９】
先ず、キャップシート用ダイスＤ１から熱可塑化状態にある膜状のキャップシート用シート素材ＳＣａが回転する真空成形ロールＲに逐次供給され、真空排気装置Ｖに接続された真空成形ロールＲの真空吸引作用により吸引キャビティＲ１１の形状に対応した多数の突起ＳＣ１を有したキャップシートＳＣを連続的に形成する。従来の態様と比較して目詰まりの発生を可及的に抑えることができるとともに、各突起ＳＣ１が精度良く成形される。一方、バックシート用ダイスＤ２から熱可塑化状態にある膜状のバックシート用シート素材ＳＢａが真空成形ロールＲに逐次供給され、加圧ロールＲＡにより当該バックシート用シート素材ＳＢａを前記キャップシートＳＣの裏面側に押し付けて貼り合わせる。これにより、キャップシートＳＣとバックシートＳＢとからなり十分な真空状態で密閉された多数の気泡Ｓ１を有する二層構造の気泡シート体Ｓが成形され、その後、剥離ロールＲＢにより真空成形ロールＲから剥離され、ピンチロールＲＣへと移行し、所定の工程（切断工程等）を経て完成品となる。
【００３０】
このように本実施形態に係る真空成形ロールＲは、真空通路Ｒ１４の半径Ｒ１４ｒを、切除部Ｒ１２ａのうち最もプラグＲ１２の中心に近い最大切込部Ｒ１２ａｘとプラグＲ１２の中心との距離Ｒ１２ｘよりも大きく設定しているため、ロール本体の外周面側から吸引キャビティを覗いた場合に、真空通路がプラグＸＲ１２の切除部Ｒ１２ａを介して視認可能な状態となる。その結果、従来の態様と比較して、目詰まりの発生を防止又は抑制することができ、プラグＲ１２の交換作業が不要又は作業回数が減少することにより気泡シート体Ｓの生産効率向上、及びメンテナンスの煩雑化解消を有効に図ることができる。
【００３１】
特に、吸引キャビティＲ１１のうちプラグＲ１２が嵌合可能な部位における直径Ｄ、真空通路Ｒ１４の直径ｄ、及び切除部Ｒ１２ａの半径ｒを、Ｄ−２ｒ＜ｄを満たす値に設定しているため、吸引キャビティＲ１１のうちプラグＲ１２が嵌合する部位の直径Ｄに対する真空通路Ｒ１４の直径ｄが、従来のものよりも大きくなるため、図５に示すように、ドリル１を用いて真空通路Ｒ１４をロール本体Ｒ１に穿孔加工する際、ドリル刃１２の径も当然に大きくなる。その結果、図６に示すハート形の気泡を真空成形するための吸引キャビティＡＲ１１等、単一の吸引キャビティに対して複数のプラグＲ１２を嵌合させなければならない場合や、或いは各吸引キャビティ自体の極小化が要求される場合において、ドリル刃１２をチャック部１１から大きく突出させた状態で穿孔加工を行う際にドリル刃１２の折損が生じ難く、ロール本体Ｒ１に対する真空通路Ｒ１４の穿孔加工をスムーズ且つ的確に行うことができる。
【００３２】
さらに、吸引キャビティＲ１１のうちプラグＲ１２が嵌合する部位における直径Ｄに対する真空通路Ｒ１４の直径ｄの相対比を可及的に大きくすることにより、当然のことながら、吸引キャビティＲ１１のうちプラグＲ１２が嵌合可能な部位における真空通路Ｒ１４の開口率も可及的に大きくなる。そのため、真空通路を、吸引キャビティのうちプラグが嵌合可能な部位の中央付近にしか形成できなかった従来のものと比較して、真空通路Ｒ１２を、吸引キャビティＲ１１のうちプラグＲ１２が嵌合可能な部位の内壁部近傍まで形成することができる。その結果、図６に示すハート形の気泡を真空成形するための吸引キャビティＡＲ１１や、図７に示す星形の気泡を真空成形するための吸引キャビティＢＲ１１、或いは図８に示す四角柱状の気泡を真空成形するための吸引キャビティＣＲ１１のように、平面視形状が複雑な吸引キャビティＡＲ１１、ＢＲ１１、ＣＲ１１であっても、各吸引キャビティＡＲ１１、ＢＲ１１、ＣＲ１１のうちプラグＲ１２が嵌合可能な部位に占める各真空通路ＡＲ１４、ＢＲ１４、ＣＲ１１の開口率を大きく設定することができる。したがって、図９に示すハート形の気泡ＡＳ１や、図１０に示す星形の気泡ＢＳ１、或いは図１１に示す四角柱状の気泡ＣＳ１等、形状が複雑な種々の気泡ＡＳ１、ＢＳ１、ＣＳ１であっても、各気泡ＡＳ１、ＢＳ１、ＣＳ１の頂面のうち中心から離れた外縁部分ＡＳ１１、ＢＳ１１、ＣＳ１１をも十分に真空吸引することができ、所望の形状に適切に真空成形することが可能となる。そして、各気泡ＡＳ１、ＢＳ１、ＣＳ１を所望の形状に適切に真空成形することにより各気泡シート体ＡＳ、ＢＳ、ＣＳ全体の耐衝撃性を有効に高めることができ、商品価値の飛躍的な向上を図ることができる。
【００３３】
加えて、本実施形態では、図４に示す円柱状の気泡を真空成形するための吸引キャビティＲ１１、図６に示すハート形の気泡を真空成形するための吸引キャビティＡＲ１１、図７に示す星形の気泡を真空成形するための吸引キャビティＢＲ１１、及び図８に示す四角柱状の気泡を真空成形するための吸引キャビティＣＲ１１の何れにも同一形状のプラグＲ１２を適用することができ、多種多様の気泡を成形する場合にも柔軟に対応することができ、互換性及びコスト面においても優れたものとなる。
【００３４】
なお、本発明は、以上に詳述した実施形態に限られるものではない。
【００３５】
吸引キャビティが、開口縁部から底壁部に亘る直径が略同一である真円筒状のものであってもよく、また、吸引キャビティの平面視形状が楕円形や扇状、六角形状をなすもの等、前記実施形態で例示した以外の平面視形状であってもよい。
【００３６】
また、切除部の数は適宜増減させても構わない。特に、前記実施形態のように、吸引用横孔の両端を真空排気装置に接続している場合には、ロール本体の中央部領域に配されるプラグの切除部の数を、ロール本体の端部領域に配されるプラグの切除部の数よりも大きくすれば、ロール本体の中央部領域と端部領域とで生じ得る吸引力の差を補正して、各領域の吸引力を均一なものとし、吸引不足による不良品化を防止することができる。
【００３７】
また、本発明に係る真空成形ロールを用いて製造される気泡シート体は、キャップシートとバックシートとからなり、梱包材等として使用可能な二層状のものであってもよく、あるいは、キャップシートの表面側（各突起の頂部側）にさらにライナーシートを貼着し、自動車の内装材等として使用可能な三層状の中空板を製造する過程で成形される中間成形物であってもよい。
【００３８】
その他、各部の具体的構成についても上記実施形態に限られるものではなく、本発明の趣旨を逸脱しない範囲で種々変形が可能である。
【図面の簡単な説明】
【００３９】
【図１】本発明の一実施形態に係る真空成形ロールを備えた成形機を模式的に示す図。
【図２】同実施形態に係る真空成形ロールの全体斜視図。
【図３】同実施形態に係る真空成形ロールの正面図を一部断面にして模式的に示す図。
【図４】図３の要部拡大図。
【図５】同実施形態において真空通路の穿孔加工を説明するための図。
【図６】同実施形態においてハート形の気泡を真空成形するための吸引キャビティの平面図。
【図７】同実施形態において星形の気泡を真空成形するための吸引キャビティの平面図。
【図８】同実施形態において四角柱状の気泡を真空成形するための吸引キャビティの平面図。
【図９】同実施形態においてハート形の気泡を多数有する気泡シート体の一部拡大図。
【図１０】同実施形態において星形の気泡を多数有する気泡シート体の一部拡大図。
【図１１】同実施形態において四角柱状の気泡を多数有する気泡シート体の一部拡大図。
【図１２】従来の真空成形ロールの要部を図４に対応して示す図。
【図１３】従来の真空通路の穿孔加工を説明するための図。
【図１４】従来のハート形の気泡を示す図。
【符号の説明】
【００４０】
Ｒ…真空成形ロール
Ｒ１…ロール本体
Ｒ１１、ＡＲ１１、ＢＲ１１、ＣＲ１１…吸引キャビティ
Ｒ１２…プラグ
Ｒ１２ａ…切除部
Ｒ１２ａｘ…最大切込部
Ｒ１３…吸引用横孔
Ｒ１４、ＡＲ１４、ＢＲ１４、ＣＲ１４…真空通路
【図１】
2008213247.tif 000003
【図２】
2008213247.tif 000004
【図３】
2008213247.tif 000005
【図４】
2008213247.tif 000006
【図５】
2008213247.tif 000007
【図６】
2008213247.tif 000008
【図７】
2008213247.tif 000009
【図８】
2008213247.tif 000010
【図９】
2008213247.tif 000011
【図１０】
2008213247.tif 000012
【図１１】
2008213247.tif 000013
【図１２】
2008213247.tif 000014
【図１３】
2008213247.tif 000015
【図１４】
2008213247.tif 000016